(57)【要約】  本発明は、金属フレームを含む端末装置用アンテナを提供して、前記金属フレームの片側に少なくとも２つのスロットが設けられ、前記スロットはリング状のスロットであり、前記少なくとも２つのスロットの各スロットの側辺の金属フレームに２組の給電点が設けられ、各組の給電点は、スロットの内側辺にある金属フレームのアンテナ給電点と、スロットの外側辺にある金属フレームの接地点とを含み、前記金属フレームは前記端末装置内の床に電気的に接続されている。
2021536200.tif 000002
【特許請求の範囲】
【請求項１】
金属フレームの片側に、少なくとも２つのリング状のスロットが設けられており、
前記少なくとも２つのスロットの各スロットの側辺の金属フレームに、２組の給電点が設けられており、各組の給電点は、スロットの内側辺にある金属フレームのアンテナ給電点と、スロットの外側辺にある金属フレームの接地点とを含み、
前記金属フレームは、端末装置の床に電気的に接続されている、金属フレームを含む端末装置用アンテナ。
【請求項２】
給電点の任意の組が、何れも前記金属フレームの内側壁に配置される、請求項１に記載の端末装置用アンテナ。
【請求項３】
前記少なくとも２つのスロットが、金属フレームの長さ方向に沿って配置される、請求項１に記載の端末装置用アンテナ。
【請求項４】
隣接する２つのスロット間の間隔は、隣接する２つのスロット間の隔離度およびアレイアンテナのビーム走査角によって決定される、請求項１に記載の端末装置用アンテナ。
【請求項５】
任意の隣接する２つのスロット間の間隔が同じである、請求項１に記載の端末装置用アンテナ。
【請求項６】
前記スロットの形状が菱形、円形、または多角形である、請求項１に記載の端末装置用アンテナ。
【請求項７】
各スロットに対応する２組の給電点において、１つの組によって決定された直線が、もう１つの組によって決定された直線に対して垂直または非垂直である、請求項６に記載の端末装置用アンテナ。
【請求項８】
前記スロットが正方形である場合、各スロットは、２組の給電点における異なる組の給電点に対応し、それぞれスロットの異なる側辺の中点に対応する金属フレーム上に配置される、請求項７に記載の端末装置用アンテナ。
【請求項９】
前記スロットの形状が菱形である場合、各スロットは、２組の給電点における異なる組の給電点に対応し、それぞれスロットの異なる角に対応する金属フレーム上に配置される、請求項７に記載の端末装置用アンテナ。
【請求項１０】
前記少なくとも２つのスロットの各スロットの中に非導電性材料が充填で満たされている、請求項１に記載の端末装置用アンテナ。
【発明の詳細な説明】
【技術分野】
【０００１】
本発明は、通信技術の分野に関し、特に、端末装置のアンテナに関する。
【背景技術】
【０００２】
通信技術の急速な発展に伴い、マルチアンテナ通信は、すでに端末装置の主流と将来の発展傾向となっており、その過程でミリ波アンテナが徐々に端末装置に導入されている。関連技術において、ミリ波アンテナは、一般的に、独立アンテナモジュールの形態であるので、端末装置内にこの独立アンテナモジュールのための収容空間を設置する必要がある。このように、端末装置全体の体積サイズは比較的に大きくなって、その結果、端末装置の全体的な競争力が比較的に低くなる。
【発明の概要】
【発明が解決しようとする課題】
【０００３】
本発明のいくつかの実施例では、端末装置内にミリ波アンテナ用の収容空間を設置することによって端末装置全体の体積サイズが比較的に大きくなるという問題を解決するための端末装置用アンテナを提供する。
【課題を解決するための手段】
【０００４】
上記の技術的問題を解決するために、本発明は以下のように実施される。
【０００５】
本発明のいくつかの実施例では、金属フレームを含む端末装置用アンテナを提供する。前記金属フレームの片側に少なくとも２つのスロットが設けられ、前記スロットはリング状のスロットである。前記少なくとも２つのスロットの各スロットの側辺の金属フレームに２組の給電点が設けられ、各組の給電点は、スロットの内側辺にある金属フレームのアンテナ給電点と、スロットの外側辺にある金属フレームの接地点とを含む。前記金属フレームは前記端末装置内の床に電気的に接続されている。
【発明の効果】
【０００６】
本発明のいくつかの実施例による端末装置用アンテナであって、金属フレームを含む。前記金属フレームの片側に少なくとも２つのスロットが設けられ、前記スロットはリング状のスロットである。前記少なくとも２つのスロットの各スロットの側辺の金属フレームに２組の給電点が設けられ、各組の給電点は、スロットの内側辺にある金属フレームのアンテナ給電点と、スロットの外側辺にある金属フレームの接地点とを含む。前記金属フレームは前記端末装置内の床に電気的に接続されている。このように、少なくとも２つのスロットが設けられた金属フレームは、端末装置のミリ波アレイアンテナに相当すると同時に、非ミリ波通信アンテナのラジエーターでもあるため、ミリ波アンテナの収容空間を節約し、端末装置のサイズを小さくすることができ、金属の外観設計をよりよくサポートすることができ、且つ他のアンテナソリューションに使用される金属の外観設計と互換性があり、端末装置の全体的な競争力を高めることができる。
【図面の簡単な説明】
【０００７】
【図１】本発明のいくつかの実施例による端末装置用アンテナの構造概略図である。
【図２】本発明のいくつかの実施例による金属フレームの片側の第１の構造概略図である。
【図３】本発明のいくつかの実施例による金属フレームの片側の第２の構造概略図である。
【図４】本発明のいくつかの実施例による単一スロットのエコー損失の概略図である。
【図５】本発明のいくつかの実施例による金属フレームの片側の第３の構造概略図である。
【図６】本発明のいくつかの実施例による金属フレームの片側の第４の構造概略図である。
【発明を実施するための形態】
【０００８】
本発明の実施例における技術的なソリューションについて、さらに明確に説明するために、以降では、本発明の実施例の記載のために必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【０００９】
以下、本発明のいくつかの実施例における添付図面に関し、本発明のいくつかの実施例における技術的なソリューションを明確かつ完全に説明するが、明らかに、ここに記載された実施例は、本発明の一部の実施例であり、全ての実施例ではない。当業者が創造的な努力を伴わずに本発明の実施例に基づいて導き出したその他の実施例は、すべて本発明の保護範囲に含まれる。
【００１０】
本発明のいくつかの実施例による端末装置の構造概略図である図１を参照してください。図１に示すように、金属フレーム１を含む端末装置であり、前記金属フレーム１の片側に少なくとも２つのスロットが設けられ、前記スロットはリング状のスロットである。前記少なくとも２つのスロットの各スロットの側辺の金属フレーム１に２組の給電点が設けられ、各組の給電点は、スロットの内側辺にある金属フレーム１のアンテナ給電点と、スロットの外側辺にある金属フレーム１の接地点とを含む。前記金属フレーム１は前記端末装置内の床２に電気的に接続されている。
【００１１】
本実施例では、上記金属フレーム１は、第１の側辺１１、第２の側辺１２、第３の側辺１３、および第４の側辺１４を含み得る。この金属フレーム１は、端部と端部とが連結されていても、連結されていなくてもよい。上記スロットの内部は空気であってもよく、非導電性材料が充填で満たされてもよい。上記床２は、回路基板または金属ミドルフレームなどであり得る。上記金属フレーム１は、前記端末装置の床２に電気的に接続され、金属フレーム１を接地することができる。
【００１２】
本実施例では、金属フレーム１の片側に少なくとも２つのスロットが設けられ、前記少なくとも２つのスロットの各スロットの側辺の金属フレーム１に２組の給電点が設けられ、各組の給電点は、スロットの内側辺にある金属フレーム１のアンテナ給電点と、スロットの外側辺にある金属フレーム１の接地点とを含む。ミリ波信号の給電源の信号線はアンテナ給電点に接続され、給電源のアースは接地点に接続される。このように、少なくとも２つのスロットは、ミリ波信号を放射するためのミリ波アレイアンテナを形成することに相当する。第３の側辺１３に少なくとも２つのスロットが設けられる場合、通信アンテナは、図１の破線に示すように、第３の側辺１３、第２の側辺１２の一部、および第４の側辺１４の一部から構成され得る。さらに、少なくとも２つのスロットで構成されたミリ波アレイアンテナは、非ミリ波通信アンテナのラジエーター内の微小なスロットであるため、非ミリ波通信アンテナの電気的パラメーターに影響を与えない。もちろん、少なくとも２つのスロットを第３の側辺１３に設けることに加えて、第１の側辺１１、第２の側辺１２または第４の側辺１４に少なくとも２つのスロットを設けることもできる。これは本実施例に限定されない。
【００１３】
このように、端末装置の金属フレーム１の片側に少なくとも２つのスロットを設けることにより、ミリ波アレイアンテナを形成することに相当し、ミリ波アレイアンテナの収容空間を節約し、他のアンテナのアンテナスペースを占有せず、端末装置の体積を小さくすることができ、端末装置の全体的な競争力を向上させる。端末装置の構造をアンテナとして充分に活用し、端末装置の金属質感に影響を与えることなく、通信効果を向上させる。また、端末装置の裏面が金属製テーブルで遮られる場合またはユーザーが端末装置を握る場合、ミリ波アンテナの性能が大幅に低下することを回避し、ユーザ体験をより良くすることもできる。
【００１４】
また、２Ｇ、３Ｇ、４Ｇ、またはｓｕｂ６Ｇなどの関連技術における通信アンテナに、ミリ波アレイアンテナを組み込み、非ミリ波通信アンテナの通信品質に影響を与えない。また、本発明は、端末装置の金属フレーム設計に基づいており、端末装置の金属質感に影響を与えない。
【００１５】
アンテナ・イン・パッケージ（Ａｎｔｅｎｎａ−ｉｎ−Ｐａｃｋａｇｅ、ＡｉＰ）ミリ波アンテナモジュールなどの現在の主流のミリ波アンテナ設計は、金属の外観設計の下で優れたアンテナ性能を発揮するのが困難で、すなわち、金属の外観設計をサポートすることが困難で、その結果、製品の競争力が低くなる。本実施例の設計方法は、金属の外観設計をよりよくサポートすることができ、且つ他のアンテナソリューションに使用される金属の外観設計と互換性があり、端末装置の全体的な競争力を高めることができる。端末装置内にミリ波アンテナ用の収容空間を設置することにより、端末装置全体の体積サイズが比較的に大きくなるという問題を解決した一方で、端末装置が金属の外観設計をサポートするのが難しいという問題も解決できる。
【００１６】
この実施例では、前記端末装置は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末（ｐｅｒｓｏｎａｌ  ｄｉｇｉｔａｌ  ａｓｓｉｓｔａｎｔ、ＰＤＡ）、またはモバイルインターネットデバイス（Ｍｏｂｉｌｅ  Ｉｎｔｅｒｎｅｔ  Ｄｅｖｉｃｅ、ＭＩＤ）またはウェアラブルデバイス（Ｗｅａｒａｂｌｅ  Ｄｅｖｉｃｅ）などであり得る。
【００１７】
任意選択で、給電点の任意の１つの組は、前記金属フレームの内側壁に配置される。
【００１８】
本実施形態では、給電点の任意の１つの組は、前記金属フレームの内側壁に配置されており、その結果、まずは、各組の給電点におけるアンテナ給電点および接地点を設けるのに便利であり、次は、端末装置の外観に影響も与えない。
【００１９】
任意選択で、前記少なくとも２つのスロットが金属フレーム１の長さ方向に沿って配置される。
【００２０】
本実施形態では、上記少なくとも２つのスロットが前記金属フレーム１の長さ方向に沿って配置されており、その結果、まずは、金属フレーム１に複数のスロットを設けるのに便利である。次は、前記少なくとも２つのスロットがミリ波アレイアンテナを形成するのに便利であり、ミリ波信号を放射したり、ミリ波信号を受信したりする。
【００２１】
上記の設置方式をよりよく理解するために、本発明による金属フレームの１つの側辺の構造概略図である図２を参照することができる。図２に示すように、金属フレーム１の第３側辺１３には少なくとも４つのスロットがあり、この少なくとも４つのスロットが金属フレーム１の第３側辺１３の長さ方向に沿って配置されて、ミリ波アレイアンテナを形成する。
【００２２】
もちろん、図２の各スロットの幅は制限されなくてもよく、スロットの内部が空気である場合、スロットの外周全長と内周全長は制限されなくてもよい。もちろん、任意選択の方法の一つとして、スロットの外周全長は１７．６ｍｍ、スロットの内周全長は１１ｍｍであり得る。スロットの内部に非導電性媒体が充填で満たされている場合、スロットの外周全長と内周全長は、実際の帯域幅に応じて調整することができ、ミリ波の動作周波数帯域もカバーすることもできる。
【００２３】
任意選択で、隣接する２つのスロット間の間隔は、隣接する２つのスロット間の隔離度とアレイアンテナのビーム走査角の性能によって決定される。
【００２４】
本実施形態では、前述の隣接する２つのスロット間の間隔は、隣接する２つのスロット間の隔離度とアレイアンテナのビーム走査角の性能によって決定され、ミリ波信号をより良くマッチングして動作させることができる。
【００２５】
任意選択で、任意の２つの隣接するスロット間の間隔は同じである。
【００２６】
本実施形態では、前記任意の２つの隣接するスロット間の間隔は同じであるため、外観をより対称にすることができ、また、少なくとも２つのスロットで構成されたミリ波アレイアンテナに良い性能を持たせることを保証でき、ミリ波信号をより良くマッチングして動作させることもできる。
【００２７】
任意選択で、前記スロットの形状は、菱形、円形、または正多角形である。
【００２８】
本実施形態では、前記スロットの形状は、菱形、円形、または正多角形である。正多角形は、正三角形、正方形、正五角形、正六角形などであり得る。したがって、実際のニーズに応じて、スロットの形状を設定することができ、実際の状況や需要に合わせて、異なる形状を設定して、様々なニーズを満たして、より多くの異なるシーンに適用できる。
【００２９】
任意選択で、各スロットに対応する２組の給電点において、１つの組によって決定された直線が、もう１つの組によって決定された直線に対して垂直または非垂直である。
【００３０】
本実施形態では、１つの組の給電点によって決定された直線は、この組内のアンテナ給電点と接地点に従って決定された直線である。同様に、もう１つの組の給電点によって決定された直線も、この組内のアンテナ給電点と接地点に従って決定された直線である。各スロットに対応する２組の給電点において、実際の必要に応じて、１つの組の給電点によって決定される直線がもう１つの組の給電点群によって決定される直線に垂直であるかどうかを設定することができる。これに対して、本実施形態は限定をしない。
【００３１】
ただし、任意選択の方式として、１つの組の給電点によって決定される直線は、もう１つの組の給電点によって決定される直線に垂直することができる。１つの組によって決定された直線が、もう１つの組によって決定された直線に対して垂直するため、電気的性能では、各スロットに直交給電方式を使用すると、多入力多出力の機能（すなわち、ＭＩＭＯ）を形成することによって、データの伝送速度を向上させる一方で、ミリ波アンテナアレイの無線接続能力を高めて、通信断線の確率を減らして、通信効果およびユーザ体験を向上させることもできる。
【００３２】
任意選択で、前記スロットが正方形である場合、各スロットは、２組の給電点における異なる組の給電点に対応し、それぞれ、スロットの異なる側辺の中点に対応する金属フレーム上に配置される。
【００３３】
本実施形態では、上記の設置方法をよりよく理解するために、本発明のいくつかの実施例による金属フレームの１つの側辺の構造概略図である図３を参照することができる。図３に示すように、金属フレーム１の第３の側辺１３には少なくとも４つのスロットがある。一番左のスロットを例にとると、このスロット側辺の金属フレームには、アンテナ給電点Ａ、接地点Ｂ、アンテナ給電点Ｃ、接地点Ｄがある。アンテナ給電点Ａと接地点Ｂは１組の給電点であり、アンテナ給電点Ｃと接地点Ｄは別の組の給電点である。
【００３４】
アンテナ給電点Ａとアンテナ給電点Ｃは、それぞれ、スロットの異なる内側辺の中間点に対応する金属フレーム上に配置され、接地点Ｂおよび接地点Ｄは、それぞれ、スロットの異なる外側の中点に対応する金属フレーム上に配置される。アンテナ給電点Ａと接地点Ｂによって決定される直線は、アンテナ給電点Ｃと接地点Ｄによって決定される直線に垂直する、すなわち、９０度に直交する。ミリ波信号の給電源の信号線はアンテナ給電点Ａとアンテナ給電点Ｃに接続され、給電源の接地線は接地点Ｂと接地点Ｄに接続されている。ミリ波信号は同じ方式で各スロットに給電され、各スロットには２つの給電信号が導入されている。
【００３５】
また、本発明のいくつかの実施例による単一スロットのエコー損失の概略図である図４を参照してください。図３の一番左のスロットを例にとると、図４における（Ｓ１、１）は、アンテナ給電点Ａと接地点Ｂでの給電信号によって形成されたエコー損失であり、（Ｓ２、２）は、アンテナ給電点Ｃと接地点Ｄでの給電信号によって形成されたエコー損失であり、何れも２６〜３０ＧＨｚをカバーすることができる。
【００３６】
本実施形態では、アンテナ外形の対称的な設計により、端末装置に良好で競争力の高い金属外観を持たせることができる。電気的性能では、各スロットに直交給電方式を使用すると、多入力多出力の機能を形成することによって、データの伝送速度を向上させる一方で、ミリ波アンテナアレイの無線接続能力を高めて、通信断線の確率を減らして、通信効果およびユーザ体験を向上させることもできる。
【００３７】
任意選択で、前記スロットの形状が菱形である場合、各スロットは、２組の給電点における異なる組の給電点に対応し、それぞれ、スロットの異なる角に対応する金属フレーム上に配置される。
【００３８】
本実施形態では、上記の設置方法をよりよく理解するために、本発明のいくつかの実施例による金属フレームの１つの側辺の構造概略図である図５を参照することができる。図５に示すように、金属フレーム１の第３の側辺１３には少なくとも４つのスロットがある。一番左のスロットを例にとると、このスロットの側辺には、アンテナ給電点Ａ、接地点Ｂ、アンテナ給電点Ｃ、および接地点Ｄがある。アンテナ給電点Ａと接地点Ｂは１組の給電点であり、アンテナ給電点Ｃと接地点Ｄは別の組の給電点である。
【００３９】
アンテナ給電点Ａおよびアンテナ給電点Ｃは、それぞれ、スロットの内側辺に形成された異なる角度に対応する金属フレーム上に配置され、接地点Ｂおよび接地点Ｄは、それぞれ、スロットの外側辺に形成された異なる角度に対応する金属フレーム上に配置される。アンテナ給電点Ａと接地点Ｂによって決定される線は、アンテナ給電点Ｃと接地点Ｄによって決定される線に垂直する、すなわち、９０度直交する。ミリ波信号の給電源の信号線はアンテナ給電点Ａとアンテナ給電点Ｃに接続され、給電源の接地線は接地点Ｂと接地点Ｄに接続される。ミリ波信号は同じ方式で各スロットに給電され、２つの給電信号が各スロットに対応する金属フレームに導入されている。
【００４０】
本実施形態では、アンテナ外形の対称的な設計により、端末装置に良好で競争力の高い金属外観を持たせることができる。電気的性能では、各スロットに直交給電方式を使用すると、多入力多出力の機能を形成することによって、データの伝送速度を向上させる一方で、ミリ波アンテナアレイの無線接続能力を高めて、通信断線の確率を減らして、通信効果およびユーザ体験を向上させることもできる。
【００４１】
もちろん、前記スロットの形状は、円形であってもよく、円形である場合、本発明のいくつかの実施例による金属フレームの１つの側辺の構造概略図である図６を参照することができる。図６に示すように、金属フレーム１の第３の側辺１３には少なくとも４つのスロットがある。一番左のスロットを例にとると、このスロットの側辺の金属フレームには、アンテナ給電点Ａ、接地点Ｂ、アンテナ給電点Ｃ、接地点Ｄがある。アンテナ給電点Ａと接地点Ｂは１組の給電点であり、アンテナ給電点Ｃと接地点Ｄは別の組の給電点である。
【００４２】
アンテナ給電点Ａとアンテナ給電点Ｃは、何れもスロットの内側辺の金属フレーム上に配置され、接地点Ｂと接地点Ｄは、何れもスロットの外側辺の金属フレーム上に配置される。アンテナ給電点Ａと接地点Ｂによって決定される直線は、アンテナ給電点Ｃと接地点Ｄによって決定される直線に垂直する、すなわち、９０度に直交する。ミリ波信号の給電源の信号線はアンテナ給電点Ａとアンテナ給電点Ｃに接続され、給電源の接地線は接地点Ｂと接地点Ｄに接続されている。ミリ波信号は同じ方式で各スロットに給電され、各スロットには２つの給電信号が導入されている。もちろん、アンテナ給電点Ａおよび接地点Ｂによって決定される直線がアンテナ給電点Ｃおよび接地点Ｄによって決定される直線に垂直することを保証する限り、本実施形態は、アンテナ給電点および接地点の特定の位置を制限しない。
【００４３】
本実施形態では、アンテナ外形の対称的な設計により、端末装置に良好で競争力の高い金属外観を持たせることができる。電気的性能では、各スロットに直交給電方式を使用すると、多入力多出力の機能を形成することによって、データの伝送速度を向上させる一方で、ミリ波アンテナアレイの無線接続能力を高めて、通信断線の確率を減らして、通信効果およびユーザ体験を向上させることもできる。
【００４４】
任意選択で、前記少なくとも２つのスロットの各スロットに、非導電性材料が充填で満たされている。
【００４５】
本実施形態では、上記少なくとも２つのスロットの各スロットに、非導電性材料が充填で満たされている。これにより、外観をより美しくして、金属フレーム１の全体的な構造強度が向上し、スロットが直接外部に露出することも回避される。
【００４６】
本発明のいくつかの実施例による端末装置用アンテナであって、金属フレーム１を含む。前記金属フレーム１の片側に、少なくとも２つのリング状のスロットが設けられている。前記少なくとも２つのスロットの各スロットの側辺の金属フレーム１に、２組の給電点が設けられており、各組の給電点は、スロットの内側辺にある金属フレーム１のアンテナ給電点と、スロットの外側辺にある金属フレーム１の接地点とを含み、前記金属フレーム１は、前記端末装置の床２に電気的に接続されている。このように、少なくとも２つのスロットが設けられた金属フレーム１は、端末装置のミリ波アレイアンテナに相当すると同時に、非ミリ波通信アンテナのラジエータでもあるため、ミリ波アンテナの収容空間を節約し、端末装置の体積を小さくすることができ、金属の外観設計をよりよくサポートすることができ、且つ他のアンテナソリューションに使用される金属の外観設計と互換性があり、端末装置の全体的な競争力を高めることができる。
【００４７】
また、本明細書において、「含む」、「有する」という用語、およびその他の任意の変形は、非排他的な包含をカバーすることを意図しており、例えば、一連の要素を含むプロセス、方法、物品、または装置は、それらの要素を含むだけではなく、明示的にリストアップされてはいない他の要素、またはそのようなプロセス、方法、物品もしくは装置に固有のその他の要素を含み得る、ということに留意すべきである。これ以上の制限がない場合、「．．．を含む」という文で限定された要素は、その要素を含むプロセス、方法、物品、または装置の内に他の同一の要素が存在することを排除するものではない。
【００４８】
以上は、添付の図面に関して本発明の実施例についての説明であって、本発明を制限するためのものではなく、上記の詳細な実施形態は、例示にすぎず、限定的ではなく、当業者は、本発明の啓発の下で、本発明の主旨および請求項の保護範囲から逸脱することなく、多くの形態を作成することができ、いずれも本発明の保護範囲内に含まれるべきである。
【００４９】
関連する出願の相互参照
本出願は、２０１８年９月１４日に中国で提出された中国特許出願番号Ｎｏ．  ２０１８１１０７６７４８．４の優先権を主張しており、そのすべての内容は引用によりここに含まれている。
【図１】
2021536200.tif 000003
【図２】
2021536200.tif 000004
【図３】
2021536200.tif 000005
【図４】
2021536200.tif 000006
【図５】
2021536200.tif 000007
【図６】
2021536200.tif 000008
【手続補正書】
【提出日】令和3年3月12日(2021.3.12)
【手続補正１】
【補正対象書類名】明細書
【補正対象項目名】００３１
【補正方法】変更
【補正の内容】
【００３１】
任意選択で、前記スロットの形状が正方形である場合、各スロットは、２組の給電点における異なる組の給電点に対応し、それぞれ、スロットの異なる側辺の中点に対応する金属フレーム上に配置される。
【手続補正２】
【補正対象書類名】特許請求の範囲
【補正対象項目名】全文
【補正方法】変更
【補正の内容】
【特許請求の範囲】
【請求項１】
金属フレームの片側に、少なくとも２つのリング状のスロットが設けられており、
前記少なくとも２つのスロットの各スロットの側辺の金属フレームに、２組の給電点が設けられており、各組の給電点は、スロットの内側辺にある金属フレームのアンテナ給電点と、スロットの外側辺にある金属フレームの接地点とを含み、
前記金属フレームは、端末装置の床に電気的に接続されている、金属フレームを含む端末装置用アンテナ。
【請求項２】
給電点の任意の組が、何れも前記金属フレームの内側壁に配置される、請求項１に記載の端末装置用アンテナ。
【請求項３】
前記少なくとも２つのスロットが、金属フレームの長さ方向に沿って配置される、請求項１に記載の端末装置用アンテナ。
【請求項４】
隣接する２つのスロット間の間隔は、隣接する２つのスロット間の隔離度およびアレイアンテナのビーム走査角によって決定される、請求項１に記載の端末装置用アンテナ。
【請求項５】
任意の隣接する２つのスロット間の間隔が同じである、請求項１に記載の端末装置用アンテナ。
【請求項６】
前記スロットの形状が菱形、円形、または多角形である、請求項１に記載の端末装置用アンテナ。
【請求項７】
各スロットに対応する２組の給電点において、１つの組によって決定された直線が、もう１つの組によって決定された直線に対して垂直または非垂直である、請求項６に記載の端末装置用アンテナ。
【請求項８】
前記スロットの形状が正方形である場合、各スロットは、２組の給電点における異なる組の給電点に対応し、それぞれスロットの異なる側辺の中点に対応する金属フレーム上に配置される、請求項７に記載の端末装置用アンテナ。
【請求項９】
前記スロットの形状が菱形である場合、各スロットは、２組の給電点における異なる組の給電点に対応し、それぞれスロットの異なる角に対応する金属フレーム上に配置される、請求項７に記載の端末装置用アンテナ。
【請求項１０】
前記少なくとも２つのスロットの各スロットの中に非導電性材料が充填で満たされている、請求項１に記載の端末装置用アンテナ。
【国際調査報告】
2021536200.tif 000009
2021536200.tif 000010
2021536200.tif 000011
2021536200.tif 000012
2021536200.tif 000013